(57)【要約】      （修正有）【課題】溶存水素水を用いた血液透析治療において、患者の体内に届けられた水素に応じて溶存水素水の生成を制御できる技術を提供する。【解決手段】溶存水素水生成装置１は、水に水素が溶け込んだ溶存水素水を生成するための装置である。溶存水素水生成装置１は、溶存水素水を生成する水素水生成部３と、溶存水素水で調製された透析液を用いて透析を受けている患者Ｈの血液に含まれる水素ガスを検出するための検出部１２と、検出部１２の検出結果に基づいて、水素水生成部３を制御するための制御部１３とを備える。【選択図】図１
2020157254.tif 000002
【特許請求の範囲】
【請求項１】
水に水素が溶け込んだ溶存水素水を生成するための装置であって、
前記溶存水素水を生成する水素水生成部と、
前記溶存水素水で調製された透析液を用いて透析を受けている患者の血液に含まれる水素ガスを検出するための検出部と、
前記検出部の検出結果に基づいて、前記水素水生成部を制御するための制御部とを備える、
溶存水素水生成装置。
【請求項２】
前記検出部は、前記患者からダイアライザーに送られる前記血液に含まれる前記水素ガスの量を検出する第１検出器と、前記ダイアライザーから前記患者に返還される前記血液に含まれる前記水素ガスの量を検出する第２検出器とを含む、請求項１記載の溶存水素水生成装置。
【請求項３】
前記制御部は、前記第２検出器によって検出された前記水素ガスの前記量と前記第１検出器によって検出された前記水素ガスの前記量との差に基づいて、前記水素水生成部を制御する、請求項２記載の溶存水素水生成装置。
【請求項４】
前記制御部は、前記差の平均値に基づいて、前記水素水生成部を制御する、請求項３記載の溶存水素水生成装置。
【請求項５】
前記制御部は、前記差の累積値に基づいて、前記溶存水素水を生成する、請求項３又は４に記載の溶存水素水生成装置。
【請求項６】
前記水素ガスの前記量又は前記差を通知する通知部をさらに備える、請求項１ないし５のいずれかに記載の溶存水素水生成装置。
【請求項７】
前記水素水生成部は、前記水を電気分解するための陽極給電体と陰極給電体とを含み、
前記制御部は、前記溶存水素水の溶存水素濃度を大きく又は小さくするように、前記陽極給電体及び前記陰極給電体に供給する前記電気分解のための電流を制御する、請求項１ないし６のいずれかに記載の溶存水素水生成装置。
【請求項８】
前記水素水生成部は、前記水を電気分解するための陽極給電体と陰極給電体とを含み、  前記制御部は、前記差が予め定められた閾値よりも小さいとき、前記制御部は、前記陽極給電体及び前記陰極給電体に供給する前記電気分解のための電流を大きくする請求項３ないし５のいずれかに記載の溶存水素水生成装置。
【請求項９】
水に水素が溶け込んだ溶存水素水を生成するための方法であって、
前記溶存水素水を生成する生成工程と、
前記溶存水素水で調製された透析液を用いて透析を受けている患者の血液に含まれる水素ガスを検出する検出工程と、
前記水素ガスの検出結果に基づいて、前記溶存水素水の溶存水素濃度を制御する制御工程とを含む、
溶存水素水生成方法。
【請求項１０】
前記検出工程は、前記患者からダイアライザーに送られる前記血液に含まれる前記水素ガスの量を検出する第１検出工程と、前記ダイアライザーから前記患者に返還される前記血液に含まれる前記水素ガスの量を検出する第２検出工程とを含み、
前記制御工程は、前記第２検出工程によって検出された前記水素ガスの前記量と前記第１検出工程によって検出された前記水素ガスの前記量との差に基づいて、前記溶存水素濃度を制御する、請求項９記載の溶存水素水生成方法。
【発明の詳細な説明】
【技術分野】
【０００１】
本発明は、透析液の調製に用いられる溶存水素水を生成するための溶存水素水生成装置及び溶存水素水生成方法に関する。
【背景技術】
【０００２】
血液透析治療においては、水素が溶け込んだ溶存水素水を用いて調製された透析液が患者の酸化ストレスの低減に寄与するとして、近年注目されている（例えば、特許文献１参照）。
【先行技術文献】
【特許文献】
【０００３】
【特許文献１】特許第５８４０２４８号公報
【発明の概要】
【発明が解決しようとする課題】
【０００４】
上記特許文献１に開示された装置を用いた透析治療において、水素がどの程度患者の体内に届けられているかが不明であり、体内に届けられた水素に応じて溶存水素の生成を制御する技術の確立が望まれている。
【０００５】
本発明は、以上のような実状に鑑み案出されたもので、溶存水素水を用いた血液透析治療において、患者の体内に届けられた水素に応じて溶存水素の生成を制御する技術を提供することを主たる目的としている。
【課題を解決するための手段】
【０００６】
本発明の第１発明は、水に水素が溶け込んだ溶存水素水を生成するための溶存水素水生成装置であって、前記溶存水素水を生成する水素水生成部と、前記溶存水素水で調製された透析液を用いて透析を受けている患者の血液に含まれる水素ガスを検出するための検出部と、前記検出部の検出結果に基づいて、前記水素水生成部を制御するための制御部とを備える。
【０００７】
本発明に係る前記溶存水素水生成において、前記検出部は、前記患者からダイアライザーに送られる前記血液に含まれる前記水素ガスの量を検出する第１検出器と、前記ダイアライザーから前記患者に返還される前記血液に含まれる前記水素ガスの量を検出する第２検出器とを含む、ことが望ましい。
【０００８】
本発明に係る前記溶存水素水生成装置において、前記制御部は、前記第２検出器によって検出された前記水素ガスの前記量と前記第１検出器によって検出された前記水素ガスの前記量との差に基づいて、前記水素水生成部を制御する、ことが望ましい。
【０００９】
本発明に係る前記溶存水素水生成において、前記制御部は、前記差の平均値に基づいて、前記水素水生成部を制御する、ことが望ましい。
【００１０】
本発明に係る前記溶存水素水生成装置において、前記制御部は、前記差の累積値に基づいて、前記溶存水素水を生成する、ことが望ましい。
【００１１】
本発明に係る前記溶存水素水生成において、前記水素ガスの前記量又は前記差を通知する通知部をさらに備える、ことが望ましい。
【００１２】
本発明に係る前記溶存水素水生成装置において、前記水素水生成部は、前記水を電気分解するための陽極給電体と陰極給電体とを含み、前記制御部は、前記溶存水素水の溶存水素濃度を大きく又は小さくするように、前記陽極給電体及び前記陰極給電体に供給する前記電気分解のための電流を制御する、ことが望ましい。
【００１３】
本発明に係る前記溶存水素水生成において、前記水素水生成部は、前記水を電気分解するための陽極給電体と陰極給電体とを含み、前記制御部は、前記差が予め定められた閾値よりも小さいとき、前記制御部は、前記陽極給電体及び前記陰極給電体に供給する前記電気分解のための電流を大きくすることが望ましい。
【００１４】
本発明の第２発明は、水に水素が溶け込んだ溶存水素水を生成するための溶存水素水生成方法であって、前記溶存水素水を生成する生成工程と、前記溶存水素水で調製された透析液を用いて透析を受けている患者の血液に含まれる水素ガスを検出する検出工程と、前記水素ガスの検出結果に基づいて、前記溶存水素水の溶存水素濃度を制御する制御工程とを含む。
【００１５】
本発明に係る前記溶存水素水生成方法において、前記検出工程は、前記患者からダイアライザーに送られる前記血液に含まれる前記水素ガスの量を検出する第１検出工程と、前記ダイアライザーから前記患者に返還される前記血液に含まれる前記水素ガスの量を検出する第２検出工程とを含み、前記制御工程は、前記第２検出工程によって検出された前記水素ガスの前記量と前記第１検出工程によって検出された前記水素ガスの前記量との差に基づいて、前記溶存水素濃度を制御する、ことが望ましい。
【発明の効果】
【００１６】
前記第１発明の前記溶存水素水生成装置は、前記透析中の前記患者の前記血液に含まれる前記水素ガスを検出する前記検出部と、前記検出部の検出結果に基づいて、前記水素水生成部を制御するための前記制御部とを備える。これにより、前記患者の体内に届けられた前記水素に基づいて前記透析液の調製に用いられる前記溶存水素水の生成を適切に制御することが可能となる。
【００１７】
前記第２発明の前記溶存水素水生成方法は、前記透析中の患者の血液に含まれる前記水素ガスを検出する前記検出工程と、前記水素ガスの前記検出結果に基づいて、前記溶存水素水の溶存水素濃度を制御する制御工程とを含む。これにより、前記患者の体内に届けられた前記水素に基づいて前記透析液の調製に用いられる前記溶存水素水の溶存水素濃度を適切に制御することが可能となる。
【図面の簡単な説明】
【００１８】
【図１】本発明の溶存水素水生成装置を含む透析システムの概略構成を示す図である。
【図２】図１の検出部を詳細に示す図である。
【図３】図１の水素水生成部の一例である電解槽を示す図である。
【図４】図１の溶存水素水生成装置に用いられる溶存水素水生成方法の処理手順を示すフローチャートである。
【図５】図４の溶存水素水生成方法の変形例の処理手順を示すフローチャートである。
【図６】図５の溶存水素水生成方法の別の変形例の処理手順を示すフローチャートである。
【図７】図５の溶存水素水生成方法のさらに別の変形例の処理手順を示すフローチャートである。
【発明を実施するための形態】
【００１９】
以下、本発明の実施の一形態が図面に基づき説明される。
図１は、本実施形態の溶存水素水生成装置１を含む透析システム１００の概略構成を示している。溶存水素水生成装置１は、溶存水素水生成で調製された透析液が用いられる透析システム１００において、溶存水素水を生成するための装置である。
【００２０】
透析システム１００は、逆浸透膜処理装置２と、溶存水素水生成装置１と、透析液調製装置５と、透析装置６とを含んでいる。
【００２１】
逆浸透膜処理装置２は、原水を逆浸透処理によって浄化して、溶存水素水生成装置１に供給する。原水には、一般的には水道水が利用されるが、その他、例えば、井戸水、地下水等を用いることができる。
【００２２】
逆浸透膜処理装置２は、軟水化処理装置２１と、活性炭処理装置２２と、逆浸透膜モジュール２３とを含んでいる。軟水化処理装置２１は、原水からカルシウムイオン及びマグネシウムイオン等の硬度成分を除去して軟水化する。活性炭処理装置２２は、微細な多孔質物質である活性炭を有し、軟水化処理装置２１から供給される水から塩素等を吸着・除去する。逆浸透膜モジュール２３は、活性炭処理装置２２から供給された水を、逆浸透膜によって浄化された処理水と、不純物を含む濃縮水とに分離する。逆浸透膜モジュール２３によって浄化された処理水は、溶存水素水生成装置１に送られる。一方、逆浸透膜を透過できなかった濃縮水は、逆浸透膜処理装置２の外部に排出される。
【００２３】
溶存水素水生成装置１は、逆浸透膜処理装置２によって浄化処理された水に水素を付加して溶存水素水を生成する。溶存水素水生成装置１は、水素ガスが溶け込んだ溶存水素水（水素含有水）を生成するための水素水生成部３を含んでいる。本実施形態では、水素水生成部３の一部として電解槽４が適用されている。電解槽４の詳細については、後述する。水素水生成部３によって生成された溶存水素水は、透析液調製用水として透析液調製装置５に送られる。
【００２４】
透析液調製装置５は、水素水生成部３から供給された透析液調製用水を用いて、例えば、液状の透析原剤を希釈して、透析液を調製する。透析液調製装置５によって調製された透析液は、透析装置６に送られる。
【００２５】
透析装置６は、透析液供給装置６１とダイアライザー６２とを含んでいる。透析液供給装置６１は、透析液調製装置５から供給された透析液をダイアライザー６２に送出する。ダイアライザー６２は、例えば、中空糸膜等の多孔質膜によって構成された透析膜６２ａを含む人工腎臓であり、透析膜６２ａを介して透析液調製装置５から供給された透析液を透析治療を受ける患者Ｈの血液に作用させ、血液から老廃物及び水分を除去する。
【００２６】
患者Ｈとダイアライザー６２とは、血液回路６３、６４を介して接続されている。血液回路６３は、患者Ｈから採取した血液をダイアライザー６２に送る。血液回路６３には、血液を送出するためのポンプ６５が設けられている。血液回路６４は、ダイアライザー６２によって老廃物等が除去された血液を患者Ｈに返還する。
【００２７】
溶存水素水生成装置１は、患者Ｈの血液に含まれる水素ガスを検出するための検出部１２と、水素水生成部３を制御するための制御部１３とを備えている。
【００２８】
検出部１２は、患者Ｈの血液を採取し、この血液の単位体積あたりの水素ガスの量を検出し、対応する電気信号を制御部１３に出力する。検出部１２には、既知の水素ガス検知器等が適用されうる。本実施形態の検出部１２は、血液回路６３、６４に設けられ、血液回路６３、６４を流れる血液に含まれる水素ガスを検出する。血液回路６３、６４を流れる血液の一部が検出部１２に供給されるように構成されていてもよい。
【００２９】
制御部１３は、例えば、各種の演算処理、情報処理等を実行するＣＰＵ（Central Processing Unit）及びＣＰＵの動作を司るプログラム及び各種の情報を記憶するメモリ等によって構成されている。制御部１３は、溶存水素水生成装置１の各部の制御を司る。
【００３０】
より具体的には、制御部１３は、検出部１２から入力された電気信号、すなわち、検出部１２の検出結果に基づいて、水素水生成部３を制御する。例えば、患者Ｈの血液から水素ガスが検出された場合、水素水生成部３において付加された水素が、透析液及び血液を介して患者Ｈの体内に確実に行き届いて、吸収されていると確認できるため、水素水生成部３の動作を弱める又は停止する。
【００３１】
一方、患者Ｈの血液から水素ガスが検出されない場合、未だ水素が患者Ｈの体内に行き届いてないと確認できるため、例えば、水素水生成部３の動作、すなわち、溶存水素水の生成を継続する。この場合、制御部１３は、溶存水素濃度を大きくするように、水素水生成部３の動作を制御してもよい。
【００３２】
従って、溶存水素水生成装置１によれば、患者Ｈの体内に届けられた水素に基づいて透析液の調製に用いられる溶存水素水の生成を適切に制御することが可能となる。
【００３３】
図２は、検出部１２を示している。検出部１２は、血液に含まれる水素ガスの量を検出する第１検出器１２ａ及び第２検出器１２ｂを含んでいる。
【００３４】
第１検出器１２ａ、第２検出器１２ｂは、血液回路６３、６４を流れる血液を採取し、この血液に含まれる水素ガスの量を検出する。より具体的には、第１検出器１２ａは、血液回路６３に設けられ、患者Ｈからダイアライザー６２に送られる血液の単位体積あたりの水素ガスの量を検出する。第２検出器１２ｂは、血液回路６４に設けられ、ダイアライザー６２から患者Ｈに返還される血液の単位体積あたりの水素ガスの量を検出する。検出部１２は、第１検出器１２ａ及び第２検出器１２ｂが検出した水素ガスの量に対応する電気信号を制御部１３に出力する。これにより、制御部１３は、血液回路６３及び６４を流れる血液に含まれる水素ガスの量を個別に知得し、水素水生成部３の制御に用いることができる。
【００３５】
例えば、第２検出器１２ｂによって検出された水素ガスの量が第１検出器１２ａによって検出された水素ガスの量より多い場合、血液中の水素ガスが患者Ｈによって吸収されたと考えられる。従って、制御部１３は、第２検出器１２ｂによって検出された水素ガスの量と第１検出器１２ａによって検出された水素ガスの量との差を計算することにより、患者Ｈによって吸収された水素ガスの量を知得でき、水素水生成部３の制御に活用できる。
【００３６】
例えば、制御部１３は、上記水素ガスの量の差を算出し、予め定められた第１閾値と比較することにより、水素水生成部３を適切に制御する。第１閾値は、例えば、患者Ｈの症状の推移に関する情報を統計的に処理することにより、定めることができる（以下、第２閾値乃至第６閾値についても同様である）。このような構成では、患者Ｈによって吸収された水素ガスの量に基づいて、水素水生成部３を適切に制御することが可能となる。
【００３７】
なお、上記水素ガスの量としては、質量の他、体積、分子量等であってもよい。また、制御部１３は、患者Ｈによって単位時間に吸収される水素ガスの量を計算するように構成されていてもよい。
【００３８】
また、本溶存水素水生成装置１において、制御部１３は、上記水素ガスの量の差の平均値に基づいて、水素水生成部３を制御する、ように構成されていてもよい。例えば、制御部１３は、上記水素ガスの量の差の平均値を算出し、予め定められた第２閾値と比較することにより、水素水生成部３を制御する。制御部１３は、上記平均値として、一定時間毎の移動平均値を算出する形態が望ましい。このような構成では、血液中の水素ガスの濃度の微小な変動に影響されることなく、水素水生成部３を適切に制御することが可能となる。
【００３９】
また、本溶存水素水生成装置１において、制御部１３は、上記水素ガスの量の差の累積値に基づいて、水素水生成部３を制御する、ように構成されていてもよい。例えば、制御部１３は、検出部１２によって上記水素ガスの量の差の累積値を算出し、予め定められた第３閾値と比較することにより、水素水生成部３を制御する。このような構成では、患者Ｈの体内に蓄積されている水素ガスに基づいて、水素水生成部３を適切に制御することが可能となる。
【００４０】
本溶存水素水生成装置１では、上記水素ガスの量又は差を通知する通知部１４をさらに備える、ことが望ましい。通知部１４には、例えば、光信号を出力するＬＥＤ等の他、音声信号を出力するスピーカー装置等が適用される。通知は、光信号と音声信号とが併用されてもよい。通知部１４の動作は、例えば、制御部１３によって制御される。溶存水素水生成装置１に通知部１４が設けられることにより、医師、看護師又は患者Ｈは、通知部１４によって患者Ｈの体内に水素が届いていることを知得できる。
【００４１】
図３は、水素水生成部３を構成する電解槽４を示している。電解槽４は、水を電気分解することにより、水素分子を発生させる。この水素分子が水に溶け込むことにより、第１水素が付加された水である溶存水素水が生成される。
【００４２】
電解槽４は、電解室４０を備え、電解室４０内に第１給電体４１と、第２給電体４２と、を有する。第１給電体４１及び第２給電体４２は、電解室４０に設けられている。
【００４３】
第１給電体４１と第２給電体４２との間には、隔膜４３が設けられている。電解室４０は、隔膜４３によって第１給電体４１が配された第１極室４０ａと、第２給電体４２が配された第２極室４０ｂとに区分される。
【００４４】
第１給電体４１及び第２給電体４２の極性及び第１給電体４１及び第２給電体４２に印加される電圧は、制御部１３によって制御される。
【００４５】
給電体４１、４２と制御部１３との間の電流供給ラインには、電流検出器が設けられている。電流検出器は、第１給電体４１、第２給電体４２に供給する電解電流を検出し、その値に相当する電気信号を制御部１３に出力する。
【００４６】
制御部１３は、例えば、電流検出器から出力された電気信号に基づいて、第１給電体４１及び第２給電体４２に印加する直流電圧を制御する。より具体的には、制御部１３は、電流検出器によって検出される電解電流が予め設定された所望の値となるように、第１給電体４１及び第２給電体４２に印加する直流電圧をフィードバック制御する。例えば、電解電流が過大である場合、制御部１３は、上記電圧を減少させ、電解電流が過小である場合、制御部１３は、上記電圧を増加させる。これにより、第１給電体４１及び第２給電体４２に供給する電解電流が適切に制御される。
【００４７】
電解室４０内で水が電気分解されることにより、水素ガス及び酸素ガスが発生する。例えば、陰極側の第２極室４０ｂでは、水素ガスが発生し、当該水素分子が溶け込んだ溶存水素水が生成され、逆浸透膜処理装置２の逆浸透膜モジュール２３に供給される。なお、このような電気分解を伴って生成された溶存水素水は、「電解水素水」とも称され、電解水素水を用いた透析治療は、「電解水透析」とも称される。一方、陽極側の第１極室４０ａでは、酸素ガスが発生する。
【００４８】
隔膜４３には、例えば、スルホン酸基を有するフッ素系樹脂からなる固体高分子膜が適宜用いられている。固体高分子膜は、電気分解により、陽極側の第１極室４０ａで発生したオキソニウムイオンを陰極側の第２極室４０ｂへと移動させて、水素ガスの生成原料とする。従って、電気分解の際に水酸化物イオンが発生することなく、溶存水素水のｐＨが変化しない。
【００４９】
本実施形態では、制御部１３は、検出部１２によって検出された水素ガスの量の差に基づいて、溶存水素水の溶存水素濃度を大きく又は小さくするように、第１給電体４１及び第２給電体４２に供給する電気分解のための電流を制御する、ように構成されている、のが望ましい。
【００５０】
より具体的には、検出部１２によって検出された水素ガスの量の差が予め定められた閾値よりも小さいとき、制御部１３は、第１給電体４１及び第２給電体４２に供給する電気分解のための電流を大きく制御する。一方、上記水素ガスの量が予め定められた閾値よりも大きいとき、制御部１３は、第１給電体４１及び第２給電体４２に供給する電気分解のための電流を小さく制御してもよい。
【００５１】
また、検出部１２によって検出された上記水素ガスの量の平均値又は累積値が予め定められた閾値よりも小さいとき、制御部１３は、第１給電体４１及び第２給電体４２に供給する電気分解のための電流を大きく制御するように構成されていてもよい。一方、上記水素ガスの量の平均値又は累積値が予め定められた閾値よりも大きいとき、制御部１３は、第１給電体４１及び第２給電体４２に供給する電気分解のための電流を小さく制御してもよい。
【００５２】
また、制御部１３は、呼気の単位体積あたりの水素ガスの量の平均値及び累積値の組み合わせに基づいて、第１給電体４１及び第２給電体４２に供給する電気分解のための電流を大きく制御するように構成されていてもよい。
【００５３】
図４は、本溶存水素水生成装置１に用いられる溶存水素水生成方法５００の処理手順を示している。溶存水素水生成方法５００は、水素が付加された透析液を用いた透析治療中に繰り返し実行されるものであり、生成工程Ｓ１、検出工程Ｓ２１、Ｓ２２及び制御工程Ｓ３、Ｓ４、Ｓ５を含んでいる。
【００５４】
生成工程Ｓ１では、水素水生成部３によって溶存水素水が生成される。溶存水素水の生成は、透析治療の実行中は原則として継続される。
【００５５】
検出工程Ｓ２１では、透析中の患者Ｈの血液が採取される。本溶存水素水生成装置１では、検出部１２によって検出工程Ｓ２１が実行される。検出工程Ｓ２２では、検出部１２が、検出工程Ｓ２１で採取した血液に含まれる水素ガスを検出する。制御工程Ｓ３、Ｓ４、Ｓ５では、制御部１３が、検出工程Ｓ２での検出結果に基づいて、水素水生成部３を制御する。例えば、血液から水素ガスが検出された場合（Ｓ３においてＹ）、水素ガスが患者Ｈの体内に行き届いていると判断できるため、水素水生成部３の動作を弱める又は停止する（Ｓ４）。例えば、制御工程Ｓ４では、制御部１３は、電気分解のための電流を弱める又は遮断する。
【００５６】
一方、血液から水素ガスが検出されなかった場合（Ｓ３においてＮ）、溶存水素濃度を大きくするように、水素水生成部３の動作を制御し（Ｓ５）、Ｓ２１に戻る。例えば、制御工程Ｓ５では、制御部１３は、電気分解のための電流を大きくする。
【００５７】
本溶存水素水生成方法５００によれば、患者Ｈの体内に届けられた水素に基づいて透析液の調製に用いられる溶存水素水の生成を適切に制御することが可能となる。
【００５８】
図５は、図４の溶存水素水生成方法５００の変形例である溶存水素水生成方法５００Ａを示している。溶存水素水生成方法５００Ａのうち、以下で説明されてない部分については、上述した溶存水素水生成方法５００の処理手順が採用されうる。
【００５９】
溶存水素水生成方法５００Ａでは、溶存水素水生成方法５００の検出工程Ｓ２１、Ｓ２２に替えて、検出工程Ｓ２３、Ｓ２４、Ｓ２５、Ｓ２６が適用され、制御工程Ｓ３に替えて、制御工程Ｓ３１、Ｓ３２が適用される。
【００６０】
検出工程Ｓ２３では、血液回路６３に設けられた第１検出器１２ａによって患者Ｈからダイアライザー６２に送られる血液が採取される。検出工程Ｓ２４では、血液回路６４に設けられた第２検出器１２ｂによってダイアライザー６２から患者Ｈに返還される血液が採取される。
【００６１】
検出工程Ｓ２５では、検出工程Ｓ２３で採取された血液に含まれる水素ガスの量が検出される。これにより、患者Ｈからダイアライザー６２に送られる血液に含まれる水素ガスの量が検出される。検出工程Ｓ２６では、検出工程Ｓ２４で採取された血液に含まれる水素ガスの量が検出される。これにより、ダイアライザー６２から患者Ｈに返還される血液に含まれる水素ガスの量が検出される。
【００６２】
制御工程Ｓ３１では、検出工程Ｓ２６で検出された水素ガスの量と検出工程Ｓ２５で検出された水素ガスの量との差が計算される。すなわち、制御部１３は、検出工程Ｓ２６で検出された水素ガスの量から検出工程Ｓ２５で検出された水素ガスの量を減ずることにより、上記水素ガスの量の差を計算する。上記水素ガスの量の差は、患者Ｈに吸収された水素ガスの量と考えることができる。
【００６３】
制御工程Ｓ３２では、制御工程Ｓ３１で計算された上記水素ガスの量の差が第１閾値と比較される。上記水素ガスの量の差が第１閾値以上である場合（Ｓ３２においてＹ）、Ｓ４に移行する。Ｓ４を実行した後、Ｓ２１に戻るように構成されていてもよい。
【００６４】
一方、上記水素ガスの量の差が第１閾値より小さい場合（Ｓ３２においてＮ）、Ｓ５に移行した後、Ｓ２１に戻る。溶存水素水生成方法５００Ａでは、上記水素ガスの量との差を計算することにより、患者Ｈに吸収された水素ガスの量に基づいて制御部１３が水素水生成部３の動作を制御するので、透析液の調製に用いられる溶存水素水の生成を適切に制御することが可能となる。
【００６５】
図６は、図５の溶存水素水生成方法５００Ａの変形例である溶存水素水生成方法５００Ｂを示している。溶存水素水生成方法５００Ｂのうち、以下で説明されてない部分については、上述した溶存水素水生成方法５００Ａ等の処理手順が採用されうる。
【００６６】
溶存水素水生成方法５００Ｂでは、溶存水素水生成方法５００Ａの制御工程Ｓ３１、Ｓ３２に替えて、制御工程Ｓ３３、Ｓ３４が適用される。制御工程Ｓ３３、Ｓ３４、Ｓ４、Ｓ５では、制御部１３が、検出工程Ｓ２５、Ｓ２６での検出結果に基づいて、上記水素ガスの量の差の平均値を算出し、水素水生成部３の動作を制御する。
【００６７】
すなわち、制御工程Ｓ３３では、制御部１３が、検出工程Ｓ２５、Ｓ２６での検出結果に基づいて、上記水素ガスの量の差の平均値を算出する。そして、水素ガスの量の平均値が第２閾値以上である場合（Ｓ３４においてＹ）、Ｓ４に移行する。一方、水素ガスの量の平均値が第２閾値より小さい場合（Ｓ３４においてＮ）、Ｓ５に移行した後、Ｓ２１に戻る。溶存水素水生成方法５００Ｂでは、呼気中の水素ガスの濃度の平均値に基づいて水素水生成部３の動作が制御されるので、呼気中の水素ガスの濃度の微小な変動に影響されることなく、透析液の調製に用いられる溶存水素水の生成を適切に制御することが可能となる。
【００６８】
図７は、図５の溶存水素水生成方法５００Ａの別の変形例である溶存水素水生成方法５００Ｃを示している。溶存水素水生成方法５００Ｃのうち、以下で説明されてない部分については、上述した溶存水素水生成方法５００の処理手順が採用されうる。
【００６９】
溶存水素水生成方法５００Ｃでは、溶存水素水生成方法５００Ａの制御工程Ｓ３１、Ｓ３２に替えて、制御工程Ｓ３５、Ｓ３６が適用される。制御工程Ｓ３５、Ｓ３６、Ｓ４、Ｓ５では、制御部１３が、検出工程Ｓ２５、Ｓ２６での検出結果に基づいて、上記水素ガスの量の差の累積値を算出し、水素水生成部３の動作を制御する。
【００７０】
すなわち、制御工程Ｓ３１では、制御部１３が、検出工程Ｓ２５、Ｓ２６での検出結果に基づいて、検出された水素ガスの量の差の累積値を算出する。そして、水素ガスの量の差の累積値が第３閾値以上である場合（Ｓ３５においてＹ）、Ｓ４に移行する。。一方、水素ガスの量の累積値が第１閾値より小さい場合（Ｓ３６においてＮ）、Ｓ５に移行した後、Ｓ２１に戻る。溶存水素水生成方法５００Ｃでは、水素ガスの量の差の累積値に基づいて水素水生成部３の動作が制御されるので、患者Ｈの体内に蓄積されている水素ガスに応じて透析液の調製に用いられる溶存水素水の生成を適切に制御することが可能となる。
【００７１】
以上、本発明の溶存水素水生成装置１が詳細に説明されたが、本発明は上記の具体的な実施形態に限定されることなく種々の態様に変更して実施される。すなわち、本溶存水素水生成装置１は、少なくとも、水に水素が溶け込んだ溶存水素水を生成するための装置であって、溶存水素水を生成する水素水生成部３と、溶存水素水で調製された透析液を用いて透析を受けている患者Ｈの血液に含まれる水素ガスを検出するための検出部１２と、検出部１２の検出結果に基づいて、水素水生成部３を制御するための制御部１３とを備えていればよい。
【００７２】
従って、例えば、制御部１３は、上記水素ガスの量の差又上記平均値が予め定められた第４閾値又は第５閾値を超える場合、透析が完了したと判断するように構成されていてもよい。また、制御部１３は、上記累積値が予め定められた第６閾値を超える場合、透析が完了したと判断するように構成されていてもよい。
【００７３】
また、水素水生成部３は、水を電気分解することにより溶存水素水を生成する電解槽４に限られず、例えば、水とマグネシウムとの化学反応等により発生した水素分子を水に溶解させて溶存水素水を生成する装置、又は、水素ガスボンベから供給された水素ガス（水素分子）を水に溶解させて溶存水素水を生成する装置であってもよい。
【００７４】
また、本溶存水素水生成方法５００等は、少なくとも、水に水素が溶け込んだ溶存水素水を生成するための方法であって、溶存水素水を生成する生成工程Ｓ１と、溶存水素水で調製された透析液を用いて透析を受けている患者Ｈの血液に含まれる水素ガスを検出する検出工程Ｓ２２と、水素ガスの検出結果に基づいて、溶存水素水の溶存水素濃度を制御する制御工程Ｓ３ないしＳ５とを含んでいればよい。
【符号の説明】
【００７５】
１        溶存水素水生成装置
３        水素水生成部
１２      検出部
１３      制御部
１４      通知部
５００    溶存水素水生成方法
５００Ａ  溶存水素水生成方法
５００Ｂ  溶存水素水生成方法
５００Ｃ  溶存水素水生成方法
Ｓ２      検出工程
Ｓ２１    検出工程
Ｓ２２    検出工程
Ｓ３      制御工程
Ｓ３１    制御工程
Ｓ３２    制御工程
Ｓ４      制御工程
Ｓ５      制御工程
Ｈ        患者
【図１】
2020157254.tif 000003
【図２】
2020157254.tif 000004
【図３】
2020157254.tif 000005
【図４】
2020157254.tif 000006
【図５】
2020157254.tif 000007
【図６】
2020157254.tif 000008
【図７】
2020157254.tif 000009